(57)【特許請求の範囲】
【請求項１】
衣類の袖口部の縫製方法であって、
少なくとも一の方向に伸長性を有する布地を複数提供するステップと、
前記複数の布地の一つから袖口部を形成し、前記複数の布地の他の一つから前記袖口部が縫合される袖付け部を形成するステップと、
前記袖口部と前記袖付け部とを縫合部にて縫合するステップと、を備え、
前記袖口部および前記袖付け部を形成するステップでは、
前記袖口部と前記袖付け部とを縫合する前記縫合部の延在方向が前記一の方向と一致するように、かつ、前記縫合部の少なくとも一部がＶ字形状を有するように、前記袖口部および前記袖付け部を形成し、
前記縫合するステップでは、
前記袖口部と前記袖付け部とを縫合する糸として、非伸長時に比べて２０％以上の伸び率を有する糸を使用し、
前記縫合部の前記一の方向における伸長時の長さＬ１が、
前記布地の前記一の方向における伸長時の長さＬ２に対しＬ１≧Ｌ２の関係を有するように縫合することを特徴とする衣類の袖口部の縫製方法。
【請求項２】
衣類の袖部の縫製方法であって、
少なくとも一の方向に伸長性を有する布地を複数提供するステップと、
前記複数の布地の一つから袖部を形成し、前記複数の布地の他の一つから前記袖部が縫合される身頃部を形成するステップと、
前記袖部と前記身頃部とを縫合部にて縫合するステップと、を備え、
前記袖部および前記身頃部を形成するステップでは、
前記袖部と前記身頃部とを縫合する前記縫合部の延在方向が前記一の方向と一致するように、かつ、前記縫合部が始点から終点にかけてＳ字形状を有するように、前記袖部および前記身頃部を形成し、
前記縫合するステップでは、
前記袖部と前記身頃部とを縫合する糸として、非伸長時に比べて２０％以上の伸び率を有する糸を使用し、
前記縫合部の前記一の方向における伸長時の長さＬ１が、
前記布地の前記一の方向における伸長時の長さＬ２に対しＬ１≧Ｌ２の関係を有するように縫合することを特徴とする衣類の袖部の縫製方法。
【発明の詳細な説明】
【技術分野】
【０００１】
本発明は、衣類に関し、具体的には、着脱が容易であるとともに、使用時の使用感が良好な衣類に関する。
【背景技術】
【０００２】
従来から、伸縮性を有する布地を使用した衣類が多く市販されている。本明細書において、「伸縮性」とは、外力によりその力の方向に伸びる性質をいう。伸縮性を有する布地を使用した衣類は装着感が良好で、着脱も容易とされている。例えば、着用者の頭部を通過しやすくするために、衿部の芯地として周方向に伸縮する素材を使用した衣類が開示されている（特許文献１）。
【０００３】
ここで、例えば上衣は通常、前身頃、後身頃、袖、袖身頃等、複数のパターンからなる。これらを一つの衣類として完成させるためには、各パターンを縫合糸で縫合する。縫合糸により縫合された部分は縫合部が形成されるが、この縫合部は、各パターンを縫合するという性質上、パターンに沿って、直線的に形成されているのが一般的である。
【特許文献１】特開２００２−２７５７１５号公報
【発明の開示】
【発明が解決しようとする課題】
【０００４】
しかしながら、従来の衣類では、伸縮性を有する布地を使用しても、縫合部が形成された部分は布地の伸長が制限されていた。例えば、上衣を装着するため袖に手を通したり袖を捲り上げたりする際にきつく感じたり、装着後に体を動かした際に布地のひきつりを感じるなど、伸縮性を有する布地の特性を活かせていなかった。
具体的に説明する。図８に、伸縮性を有する布地で構成された従来の上衣の袖部１００を示す。ここで、図８（ａ）は袖部１００の正面図であり、図８（ｂ）は（ａ）に記載した袖部１００の展開図である。図８（ａ）に示すように、この袖部１００には袖端部縫合部１１０と袖下部縫合部１１２が形成されている。この袖下部縫合部１１２を解くと、図８（ｂ）に示すように展開する。
【０００５】
図８（ａ）及び（ｂ）に示すように、従来の上衣の袖部１００の袖端部縫合部１１０は、袖の折りしろ（図示せず）に沿って、袖の縁部１１４とほぼ平行に、かつ、直線状に形成されていた。このような袖端部縫合部１１０は、伸縮性を有する糸を使用しない限り、上衣の使用時における布地の伸長が袖端部縫合部１１０の長さＬに制限される。即ち、袖部１００の使用時における布地の伸長方向をＸとすると、袖部１００の布地は使用時にＸ方向に伸長する力が働くが、袖端部縫合部１１０は伸長しないため、伸縮性を有する布地が本来有する特性を活かすことができないという問題があった。
【０００６】
従って、本発明は、伸縮性を有する布地の特性を損なうことのない衣類を提供することを目的とする。
【課題を解決するための手段】
【０００７】
本発明者は検討の結果、布地を縫合糸の伸張性に応じて縫合部と布地との関係を規定することにより、布地の伸縮性を損なわない衣類を得ることができるとの知見を得た。
【０００８】
本発明はこのような知見に基づくものであり、本発明の衣類の袖口部の縫製方法は、少なくとも一の方向に伸長性を有する布地を複数提供するステップと、複数の布地の一つから袖口部を形成し、複数の布地の他の一つから袖口部が縫合される袖付け部を形成するステップと、袖口部と袖付け部とを縫合部にて縫合するステップと、を備え、袖口部および袖付け部を形成するステップでは、袖口部と袖付け部とを縫合する縫合部の延在方向が一の方向と一致するように、かつ、縫合部の少なくとも一部がＶ字形状を有するように、袖口部および袖付け部を形成し、縫合するステップでは、袖口部と袖付け部とを縫合する糸として、非伸長時に比べて２０％以上の伸び率を有する糸を使用し、縫合部の一の方向における伸長時の長さＬ１が、布地の一の方向における伸長時の長さＬ２に対しＬ１≧Ｌ２の関係を有するように縫合することを特徴とする。
【０００９】
また本発明の衣類の袖部の縫製方法は、少なくとも一の方向に伸長性を有する布地を複数提供するステップと、複数の布地の一つから袖部を形成し、複数の布地の他の一つから袖部が縫合される身頃部を形成するステップと、袖部と身頃部とを縫合部にて縫合するステップと、を備え、袖部および身頃部を形成するステップでは、袖部と身頃部とを縫合する縫合部の延在方向が一の方向と一致するように、かつ、縫合部が始点から終点にかけてＳ字形状を有するように、袖部および身頃部を形成し、縫合するステップでは、袖部と身頃部とを縫合する糸として、非伸長時に比べて２０％以上の伸び率を有する糸を使用し、縫合部の一の方向における伸長時の長さＬ１が、布地の一の方向における伸長時の長さＬ２に対しＬ１≧Ｌ２の関係を有するように縫合することを特徴とする。
【発明の効果】
【００１４】
本発明によれば、衣類の装着時に布地が伸長しても縫合部の長さによって布地の伸長が制限されないため、伸縮性を有する布地の伸びを最大限に活かすことが出来る。従って、衣類の着脱が容易となるとともに、衣類の使用時の使用感を向上させることができる。
【発明を実施するための最良の形態】
【００１５】
図１は、本発明の実施形態の一例として、上衣の袖部１の端部に形成された袖端部縫合部１０を示したものである。布地は少なくとも一の方向（図面Ｘ方向）に伸張性を有している。図１に示すように、袖端部縫合部１０は、緩やかな３つの湾曲部を備えたＶ字型に形成されている。図１（ａ）は非伸長時（リラックス時）の袖部１を示し、図１（ｂ）は伸長時、即ち、上衣の使用時に布地がＸ方向に伸長して広がった状態の袖部１を示している。
【００１６】
布地の長さは、袖端部縫合部１０の始点１０ａと終点１０ｂとを直線で結んだときの長さとする。図１（ａ）に示す状態のとき、非伸長時の布地の長さＬ３と袖端部縫合部１０の長さＬ１は、Ｌ１＞Ｌ３の関係を有する。即ち、布地の非伸長時は、布地の長さＬ２よりも袖端部縫合部１０の長さＬ１の方が長い。
【００１７】
図１（ｂ）に示す状態のとき、袖端部縫合部１０の長さＬ１と伸長時の布地の長さＬ２は、Ｌ１≧Ｌ２の関係を有する。即ち、布地の伸長時は、伸長した布地の長さＬ２と袖端部縫合部１０の長さＬ１が同じであるか、布地の長さＬ２よりも袖端部縫合部１０の長さＬ１の方が長い。
【００１８】
このように、布地の伸長時を想定して予め縫合部の長さを長めに規定することにより、縫合糸に伸縮性の糸を用いなくても伸縮性を有する布地の伸びを有効に活かすことができる衣類を提供することができる。
【００１９】
なお、縫合糸に伸縮性を有する糸を用いて袖端部縫合部１０を形成することもできる。伸縮性の糸とは、例えば、２０％以上の伸び率を有する糸を挙げることができる。伸縮性の糸を用いることにより、布地の伸びを更に容易にすることができる。また、伸縮性を有する糸を用いて袖端部縫合部１０を形成した場合は、図１（ａ）に示す状態のとき、即ち、布地の非伸長状態であっても、袖端部縫合部１０の長さＬ１と布地との関係をＬ１≧Ｌ２とすることができる。
【００２０】
図２〜図５は本発明の実施形態に係る衣類の袖部における種々のバリエーションを示すものである。
図２は、袖端部縫合部１１を波状に形成した例である。図２に示すように、縫合部は、複数の屈曲部からなり、個々の屈曲部の曲率が大きい緩やかな波形形状（正弦波形状等）にすることが可能である。このような縫合部形状とすれば、縫合部に審美性を持たせることができる。なお、縫合部の波形形状に規則的な振幅や周期を持たせる必要はない。
【００２１】
図３は、袖端部縫合部１２をジグザグ形状にした例である。図３に示すように、縫合部は、複数の屈曲部からなり、屈曲部が鋭角をなす鋸歯形状にすることが可能である。このような縫合部形状も、縫合部に審美性を与えることができる。また上記と同様に、縫合部の鋸歯形状に規則的な振幅や周期を持たせる必要はない。
【００２２】
図４は、袖端部縫合部１３をＶ字形状にした例である。図４に示すように、縫合部は、単一の屈曲部を有するように形成してもよい。このような縫合部形状も、縫合部に審美性を与えることができる。また、屈曲部の曲率を大きくして図２のような緩やかな屈曲とすることも可能である。
【００２３】
図５は、袖端部縫合部１４の一部にＶ字形状の切り込みを入れた例である。図５に示すように、縫合部の全長に亘って屈曲部を設ける必要はなく、一部のみに屈曲部を設けるように形成してもよい。このような縫合部形状も、縫合部に審美性を与えることができる。また、屈曲部の曲率を大きくして図２のような緩やかな屈曲としたり、図３のような波形形状としたり、図４のような鋸歯形状としたりしてもよい。
【００２４】
上記バリエーションは一例を示したものであり、いずれの例も、縫合部の一の方向における伸長時の長さＬ１が、布地の一の方向における伸長時の長さＬ２に対しＬ１≧Ｌ２の関係を満たすものであればよい。
【００２５】
図６は、本発明の他の実施形態を示す図である。図６（ａ）は上衣６の正面図であり、図６（ｂ）は上衣６の背面図である。なお、上衣６は少なくとも一の方向に伸張性を有する布地で構成されている。
【００２６】
図６に示すように、袖付け縫合部２４は、その始点２４ａから終点２４ｂにかけて、緩やかなＳ字形状に形成されている。このとき、袖付け縫合部２４に沿った縫合全長は、袖付け縫合部２４の始点２４ａから終点２４ｂまでの区間において、Ｘで示す方向に布地が最も伸長した場合の長さと同じかそれ以上となっている。これにより、布地の伸び方向Ｘに対するゆとりができ、上衣６の装着感を向上させることができる。
【００２７】
図７は、図６に示す袖付け縫合部２４の変形例を示す図である。図７に示すように、袖付け縫合部２８は、図６に記載した上衣６の袖下（腋）部分において、袖部２２の前部２２ａと身頃２０の前部２０ａとを縫合しつつ、袖下（腋）部分で袖下縫合部２６に向かって図面上方に向かって湾曲し、袖下縫合部２６の端部に至る縫合部２８ａと、袖下縫合部２６から図面下方に向かって湾曲し、袖部２２の後部２２ｂと身頃２０の後部２０ｂとを縫合する縫合部２８ｂとからなる。これにより、布地の伸び方向Ｘに対するゆとりができ、装着感を更に向上させることができる。
【００２８】
本発明は伸縮性を有する布地を用いた種々の衣類に適用することができる。伸縮性を有する布地に縫合部が形成された衣類の具体例としては、例えば、トレーナー（スウェットも含む）、Ｔシャツ、パンツ、セーター、手袋、靴下、リストバンド、下着（アンダーウェア）、帽子、ネックウォーマー、寝袋等を挙げることができる。
【００２９】
［実施例］
本発明に係る上衣につき、袖端部の伸縮性についての実施例に基づく評価を行った。実施例サンプルは、図１（ａ）に示したように、緩やかな３つの湾曲部を備えた略Ｖ字型の袖端部縫合部１０が形成された袖部１を使用した。なお、袖部１は、袖端部縫合部１０の長さＬ１、非伸長時の布地の長さＬ３及び伸長時の布地の長さＬ２の関係が、Ｌ１＞Ｌ３かつＬ１≧Ｌ２の関係を満たしているものを使用した。
【００３０】
試験方法は、まず、非伸長時の布地の長さＬ３を測定した後、袖端部縫合部１０の始点１０ａと終点１０ｂを把持し、Ｘ方向に左右に引っ張り、最大伸長時の布地の長さＬ２を測定した。そして、下記の式により布地の伸長率を求めた。
伸長率（％）＝（Ｌ２−Ｌ３）／Ｌ３×１００
【００３１】
なお、比較例として、図８（ｂ）に示す袖端部縫合部１１０が形成された袖部１００を使用して、上記と同様の要領で布地の伸長率を求めた。
【００３２】
【表１】
0004776607.tif 000002
表１から明らかなように、本発明の縫製方法によって縫製された衣類は、従来の縫製による衣類（比較例）に比べて著しく伸長率が伸びていることが確認された。
【図面の簡単な説明】
【００３３】
【図１】本発明の実施形態の一例として、上衣の袖部１の端部に形成された袖端部縫合部１０を示したものである。
【図２】本発明の他の実施形態として、袖端部縫合部１１を波状に形成した例である。
【図３】本発明の他の実施形態として、袖端部縫合部１２をジグザグ形状にした例である。
【図４】本発明の他の実施形態として、袖端部縫合部１３をＶ字形状にした例である。
【図５】本発明の他の実施形態として、袖端部縫合部１４の一部にＶ字形状の切り込みを入れた例である。
【図６】本発明を袖付け縫合部２４に適用した例を示す図である。
【図７】図６に示す袖付け縫合部２４の変形例を示す図である。
【図８】伸縮性を有する布地で構成された従来の上衣の袖部１００を示す図である。
【符号の説明】
【００３４】
１：袖部、１０：袖端部縫合部、６：上衣、２０：身頃、２２：袖部、２４：袖付け縫合部、２６：袖下縫合部、２８：袖下縫合部
【図１】
0004776607.tif 000003
【図２】
0004776607.tif 000004
【図３】
0004776607.tif 000005
【図４】
0004776607.tif 000006
【図５】
0004776607.tif 000007
【図６】
0004776607.tif 000008
【図７】
0004776607.tif 000009
【図８】
0004776607.tif 000010